(57)【要約】【課題】   １つの冷却ファンで、制御用配線基板、マグネトロン及び駆動装置を冷却することができ、構造が簡単で安価な電子レンジを提供することを目的とする。【解決手段】  外箱２内に設けられほぼ全域に渡る大きさの前面開口部６を有する加熱室５と、前面開口部６を開閉するように設けられた扉１０とを備えた電子レンジにおいて、加熱室５の後方の機械室１９下部にマグネトロン２０と、マグネトロン駆動装置２２及び冷却ファン２３を並設して設け、外箱２の底部から機械室１９に延びる吸気ダクト３０を備え、この吸気ダクト３０内に制御用配線基板３２を設けることにより、冷却ファン２３の回転駆動により、吸気ダクト３０から吸気された空気が制御用配線基板３２とマグネトロン駆動装置２２とマグネトロン２０を冷却する。【選択図】  図３
2006292181.tif 000002
【特許請求の範囲】
【請求項１】
箱型の本体内に加熱室の空間を有し、その前面開口部に開閉自在に設けられている扉に
操作部を有する電子レンジにおいて、
前記加熱室の後方に設けられた１つの冷却ファン、マグネトロン駆動装置、およびマグネ
トロンと、
本体下方部に吸気孔を有し、前記冷却ファンを取り囲む冷却ケーシングに接続される吸気
ダクトと、
この吸気ダクト内に設けられる制御用配線基板とを備え、
前記冷却ファンの回転駆動により、前記吸気孔から吸気された空気によって前記吸気ダク
ト内の前記制御用配線基板が冷却されると共に、前記冷却ケーシングによってガイドされ
て前記マグネトロン駆動装置と前記マグネトロンとが冷却されることを特徴とする電子レ
ンジ。
【請求項２】
箱型の本体内に加熱室の空間を有し、その前面開口部に開閉自在に設けられている扉に
操作部を有し、モータの回転駆動により前記加熱室に熱風を供給して循環させる熱風循環
機構を備えた電子レンジにおいて、
前記熱風循環機構は前記加熱室の後方に設けられると共に、前記モータの回転駆動により
前記モータを冷却する自冷ファンを備え、
前記熱風循環機構から仕切りにより区画された前記加熱室の後方下部にはマグネトロン駆
動装置、およびマグネトロンを設け、
前記加熱室の後方に設けられ冷却ケーシングに取り囲まれた１つの冷却ファンと、
本体下方部に吸気孔を有し、前記冷却ケーシングに接続される吸気ダクトと、
この吸気ダクト内に設けられる制御用配線基板とを備え、
前記冷却ファンの回転駆動により、前記吸気孔から吸気された空気によって前記吸気ダク
ト内の前記制御用配線基板が冷却されると共に、前記冷却ケーシングによってガイドされ
て前記マグネトロン駆動装置と前記マグネトロンとが冷却されることを特徴とする電子レ
ンジ。
【請求項３】
前記熱風循環機構の近傍の前記本体の背面に熱風開口部を形成し、
前記熱風開口部から前記熱風モータを含む前記熱風循環機構に冷却風を導く熱風ダクトを
設けることを特徴とする請求項２に記載の電子レンジ。
【請求項４】
前記加熱室の後方上部に加熱室内の温度を検出する温度センサ、または加熱室内の調理
物の温度を検出する赤外線センサを設け、
前記冷却ケーシングから前記温度センサまたは前記赤外線センサへ冷却風を導く冷却ダク
トを設けることを特徴とする請求項１または請求項２に記載の電子レンジ。
【請求項５】
前記加熱室の後方上部に加熱室の温度を測定する温度センサ、または加熱室内の調理物
の温度を検出する赤外線センサを設け、
前記熱風ダクトの途中に前記温度センサまたは前記赤外線センサへ前記冷却風を導く分岐
ダクトを設けることを特徴とする請求項３に記載の電子レンジ。
【発明の詳細な説明】
【技術分野】
【０００１】
本発明は、箱型の本体内に加熱室の空間を有し、その前面開口部に開閉自在に設けられ
ている扉に操作部を備えた電子レンジに関する。
【背景技術】
【０００２】
従来の電子レンジは、箱型の本体内に加熱室の空間を有し、その本体の前面開口部に扉
が開閉自在に設けられる構造をなし、本体の前面には操作部が扉とは別個に設けられてい
た。そして、その扉の後方には加熱室が設けられ、操作部の後方には機械室が設けられて
おり、さらに機械室にはマグネトロン、そのマグネトロンを駆動する駆動装置、および駆
動装置を制御する制御用配線基板が収容されていた。
【０００３】
しかし近年では、本体の前面にほぼ全幅にわたる大きさの前面開口部を形成して、この
前面開口部に操作部を有する扉を開閉自在に設けた電子レンジが提供されるようになった
。
【０００４】
このタイプの電子レンジでは、マグネトロンや、そのマグネトロンを駆動するマグネト
ロン駆動装置、およびマグネトロン駆動装置を制御する制御用配線基板を有する機械室を
、加熱室の下方空間に配置することが一般的であった（例えば特許文献１）。
【０００５】
しかしながら、加熱室の下方に機械室を設けた場合、その必要とする機械室スペースの
大きさと、電子レンジ全体の高さに対する設置制限により、加熱室内のスペースを広くで
きないという問題があった。取り分け、高さ方向に制限が発生して、加熱室の高さを十分
確保できない問題があった。
【０００６】
その問題を解決するものとして、機械室を加熱室の後方に設けることで、加熱室内の高
さ方向のスペースを確保することができる電子レンジが出願人によって提供されている。
【０００７】
この電子レンジでは、加熱室後方の機械室を仕切り板により上部、下部に区画し、上部
に熱風循環機構冷却用の冷却用ファン、熱風循環機構、および制御用配線基板を取り付け
、下部に電源装置冷却用の冷却ファン、電源装置、およびマグネトロン等を取り付ける構
造としていた。そして、２個の冷却ファンを上部、下部に設置することで、上部、下部に
設けられた各発熱体を独立に冷却させている。
【特許文献１】特開２００１−５９６１６号公報（第３頁、図２）
【発明の開示】
【発明が解決しようとする課題】
【０００８】
しかしながら、機械室を加熱室の後方に設けた電子レンジにおいては、冷却ファンを２
つ使用しているため、製造が高価であるという問題があった。また機械室は、狭いスペー
スに複雑な電気部品や機械部品を取り付ける構造となるため、電子レンジの組立性が悪い
という問題があった。
【０００９】
本発明は上記問題点を解決するためになされたもので、構造が簡単で組立性が良く、か
つ安価な電子レンジを提供することを目的とする。
【課題を解決するための手段】
【００１０】
上記目的を達成するために、本発明に係わる電子レンジは、箱型の本体内に加熱室の空
間を有し、その前面開口部に開閉自在に設けられている扉に操作部を有する電子レンジに
おいて、前記加熱室の後方に設けられた１つの冷却ファン、マグネトロン駆動装置、およ
びマグネトロンと、本体下方部に吸気孔を有し、前記冷却ファンを取り囲む冷却ケーシン
グに接続される吸気ダクトと、この吸気ダクト内に設けられる制御用配線基板とを備え、
前記冷却ファンの回転駆動により、前記吸気孔から吸気された空気によって前記吸気ダク
ト内の前記制御用配線基板が冷却されると共に、前記冷却ケーシングによってガイドされ
て前記マグネトロン駆動装置と前記マグネトロンとが冷却されることを特徴とする。
【発明の効果】
【００１１】
本発明の電子レンジによれば、冷却ファン１つで、発熱体である制御用配線基板、マグ
ネトロン及び駆動装置を同時に冷却することができ、構造が簡単で組立性が良く、かつ安
価な電子レンジを提供することができる。
【発明を実施するための最良の形態】
【００１２】
以下、図面を用いて本発明の実施例を説明する。
【実施例１】
【００１３】
本発明に係る電子レンジの実施形態を図１乃至図６を参照して説明する。
【００１４】
図１は、本発明の実施形態の電子レンジの斜視図であり、扉が開放された状態での外観
を示す。図２は、その電子レンジの扉閉塞時の外観を示す前面図である。図３は、その電
子レンジの加熱室後部の機械室の破断背面図である。図４は、その電子レンジの正面右側
から見た破断右側面図である。図５は、その電子レンジの熱風循環機構の破断面図である
。図６は、その電子レンジの加熱室下面の部分破断面図である。
【００１５】
図１に示すように、電子レンジの本体１は外箱２で外郭が箱型に形成されていて、底部
下面に脚部３が設けられている。外箱２の内部には前面が開口した内箱４が設けられてお
り、この内箱４の内部を加熱室５としている。
【００１６】
また、この加熱室５の前面開口部６は、本体１の前面のほぼ全幅にわたる大きさの矩形
状をなしている。そして、本体１の前面部には加熱室５の前面開口部６を開閉可能な扉１
０が設けられている。この扉１０は、図示しないヒンジ部を介して本体１の前面下部に手
前方向に回動可能に枢支されている。
【００１７】
また扉１０の前面部には、図２に示すように、上部に手掛け部１１が設けられていると
共に、下部に複数の操作部１３及び表示部１４を有する操作パネル１２が設けられている
。
【００１８】
複数の操作部１３は、加熱調理の調理モードや調理時間を選択または設定するために使
用者によって操作されるもので、表示部１４にはその選択または設定された調理モードや
調理時間などが表示される。
【００１９】
そして外箱２と内箱４の後部との間には、図３および図４に示すように、機械室１９が
形成される空間が設けられており、内箱４の上方には上側空間１５、右方には右側空間１
６、左方には左側空間１７、下方には下側空間１８が設けられている。
【００２０】
次に、図３を用いて機械室１９の構成について説明する。
【００２１】
この機械室１９の下部には、右からマグネトロン２０と、このマグネトロン２０の駆動
装置２２と、このマグネトロン駆動装置２２およびマグネトロン２０を冷却する冷却ファ
ン２３が順に水平方向にほぼ一直線上に設けられている。そして、下部のマグネトロン２
０およびマグネトロン駆動装置２２と、上側空間１５の熱風循環機構４０との間は仕切り
ケーシング５０によって仕切られている。
【００２２】
このマグネトロン２０は高周波を発生するもので、その発生した高周波は、下側空間１
８に設けられマグネトロン２０の下から加熱室５の下面の中央に延びる導波管２１を通し
て加熱室５内に供給されている。
【００２３】
そして冷却ファン２３は、送風用の例えばシロッコファン等で構成され、その回転軸に
は冷却ファン２３を回転駆動する冷却ファンモータ２３ａを備えている。
【００２４】
この冷却ファン２３は冷却ケーシング２４内に収容されており、冷却ファン２３の回転
により冷却ケーシング２４内に空気を吸入する。
【００２５】
そしてこの冷却ケーシング２４は、吸入された空気を３つの方向に分岐させて送風する
分岐点としてのガイド機能を有している。
【００２６】
即ち、この冷却ケーシング２４は４つの開口を有しており、その１つは冷却風を吸入す
るために下側空間１８に向いて設けられている開口であり、残り３つは冷却風を送風する
ために冷却ファン２３の周囲であって、其々上方、左方、右下方に向かって設けられてい
る３方向の開口である。
【００２７】
そして、この３方向の開口の先には冷却ファン２３から冷却風が送風されて冷却される
電気部品（発熱体を含む）が設けられている。
【００２８】
この冷却ケーシング２４の下側の左上方向から右下方向にかけて、吸気した空気を導く
送風ガイド２５が設けられており、この送風ガイド２５は仕切りケーシング５０に接続さ
れる。この仕切りケーシング５０の左端は前記冷却ケーシング２４に接続されており、右
端は開口５１が設けられている。
【００２９】
また加熱室５の後方上面には、加熱室５内の温度を測定する温度センサ２６が設けられ
ており、冷却ファン２３の上方の冷却ケーシング２４にはこの温度センサ２６に向かって
延びる冷却ダクト２７が設けられている。
【００３０】
また、この冷却ケーシング２４の左側（右側空間１６）であって冷却ファン２３の左側
には、冷却ファン２３からの冷却風が導かれる送風ダクト２８が右側壁板に沿って前後方
向に延びており（図４を参照）、この送風ダクト２８の後端部が冷却ケーシング２４の左
方の開口に装着されている。
【００３１】
そしてこの送風ダクト２８の前端部には吐出口が設けられ、この吐出口は右側壁の前部
上方に設けられる扉１０のインターロックスイッチ２９に臨んでいる（図４を参照）。
【００３２】
また図４、図６に示すように、内箱４の下方部に設けられた下側空間１８には、吸気ダ
クト３０が設けられており、この吸気ダクト３０の後端部は機械室１９の冷却ケーシング
２４の下方に装着されている。
【００３３】
この吸気ダクト３０の底部（吸気ダクト３０内側の外箱２底面）および吸気ダクト３０
の側面部（吸気ダクト３０内側の外箱２側面）、すなわち本体１の下方部には、複数の吸
気孔３１が設けられており、本体１外部に連通されている。そして吸気ダクト３０内の底
部には、電子レンジの各動作を制御する制御用配線基板３２が設置されている。
【００３４】
次に、図５を参照して熱風循環機構４０について説明する。
【００３５】
この熱循環機構４０は加熱室５内に熱風を供給して循環させるためもので、機械室１９
の上側空間１５の中央部から上部にかけて設けられている。そして、熱循環機構４０は熱
風カバー４４内に設けられた熱風ヒータ４１と、送風用の熱風羽根４２と、および加熱室
５の後壁５ａに設けられた吸込口４０ａと吹出口４０ｂとにより構成されている。
【００３６】
この熱風羽根４２のシャフト４３は、熱風カバー４４の外部に設けられた熱風モータ４
５に連通しており、この熱風モータ４５の回転駆動によって熱風羽根４２が回転される。
【００３７】
またシャフト４３の熱風モータ４５と熱風カバー４４の間には、熱風モータ４５を冷却
するための自冷ファン４６（例えば、遠心ファンであるシロッコファン）が取り付けられ
ている。
【００３８】
この熱風モータ４５と自冷ファン４６とは、その周りを熱風ダクト４８により囲われて
おり、この熱風ダクト４８の後端は本体１の背面に設けられた熱風開口部４７に連結され
ている。
【００３９】
またこの熱風ダクト４８の上側には、自冷ファン４６の周囲から上方に向かって延びる
分岐ダクト４９が形成されており、この分岐ダクト４９は前記温度センサ２６に向かって
延びている。
【００４０】
上記構成を有する実施形態の電子レンジの作用について説明する。
【００４１】
扉１０を開け被加熱調理物を加熱室５に載置し、使用者は加熱条件を決めて操作部１３
から「レンジメニュー」や「ヒータ加熱メニュー」等の調理方法や加熱時間、加熱温度な
どを入力する。
【００４２】
そしてスタートスイッチを操作して加熱開始を指示すると、入力された調理方法や加熱
条件に基づき、図示しないマイコンが予め設定された制御プログラムに従ってマグネトロ
ン２０や熱風循環機構４０を駆動し、加熱調理を実行する。
【００４３】
まず「レンジメニュー」が選択された場合、マグネトロン２０からマグネトロンが発振
し、導波管２１を介して加熱室５の底部から加熱室５内にマイクロ波が照射される。そし
て被加熱調理物を高周波で加熱調理する。
【００４４】
また「ヒータ加熱メニュー」が選択されると、熱風循環機構４０の熱風ヒータ４１が発
熱し、熱風羽根４２が熱風モータ４５により回転駆動される。
【００４５】
そして熱風羽根４２の回転動作により、加熱室５内の空気が加熱室５の後壁５ａの吸込
口４０ａから吸入され、熱風ヒータ４１で空気が加熱されて、吹出口４０ｂから加熱室５
内に送風されることで、熱風が加熱室５内を循環される。そして調理物を対流加熱する。
【００４６】
また、これら加熱調理中に扉１０が開放された場合、その開放にインターロックスイッ
チ２９が応動し、前記マイコン制御により加熱調理が自動的に停止される機能を有してい
る。
【００４７】
そしてこれらの加熱調理中に、加熱室５の周辺にあるインターロックスイッチ２９や、
温度センサ２６の故障発生を防ぎ、マグネトロン２０、マグネトロン駆動装置２２等に対
する加熱室５からの輻射熱や、熱風ヒータ４１の発熱からの影響による不安定動作を防ぐ
ために、これら内蔵する電気部品が冷却される。
【００４８】
まず例えば、加熱調理後にマイコン制御にて冷却ファン２３が駆動されると、この冷却
ファン２３の送風作用により、図４，図６に示す矢印Ａ１方向に空気が流れ、外部の空気
が外箱２の底面および側面（本体１の下方部）の吸気孔３１から吸気ダクト３０内に流入
し、機械室１９内に向かって導かれる。
【００４９】
この際、吸気ダクト３０内の底部に設けられる制御用配線基板３２は、矢印Ａ１方向の
空気の流れにより冷却される。
【００５０】
そして、吸気ダクト３０から冷却ケーシング２４内へ導かれた矢印Ａ１方向の空気の流
れは冷却ケーシング２４に導かれ、更に冷却ケーシング２４に設けられる送風ガイド２５
、冷却ダクト２７及び送風ダクト２８によって３つの空気の流れに分岐（ガイド）される
。
【００５１】
その第１の分岐風は、図３に示すように冷却ファン２３の右下方向に設けられる送風ガ
イド２５に導かれて、仕切りケーシング５０内に矢印Ａ２方向の空気の流れとなる。
【００５２】
従って、この矢印Ａ２方向の空気の流れによって、マグネトロン駆動装置２２及びマグ
ネトロン２０が冷却される。
【００５３】
これらマグネトロン駆動装置２２及びマグネトロン２０を冷却した矢印Ａ２方向の空気
の流れは、仕切りケーシング５０の右端の開口５１から矢印Ａ３方向の空気の流れとなり
、本体１の右側板に沿って機械室１９の上方に流れでて、上面の排気口２ａから本体１の
上方側へ排出される。
【００５４】
また第２の分岐風は、冷却ファン２３の左方向の右側空間１６に設けられた送風ダクト
２８内に吐出される矢印Ａ４方向の空気の流れとなる。
【００５５】
この矢印Ａ４方向の空気の流れは、図４に示すように送風ダクト２８によって本体１の
前方向に導かれ、右側壁前方に設けられたインターロックスイッチ２９に冷却風が吹き当
てられ、インターロックスイッチ２９が冷却される。その後、矢印Ａ４方向の空気の流れ
は外箱２の上面に設けられた排気口２ａから本体１外に排出される。
【００５６】
また第３の分岐風は、冷却ファン２３の上方向の冷却ダクト２７内に吐出される矢印Ａ
６方向の空気の流れとなる。
【００５７】
この矢印Ａ６方向の空気の流れは冷却ダクト２７に沿って流れ、加熱室５（内箱４）の
上面後方に設けられた温度センサ２６に冷却風が吹き当てられ、温度センサ２６が冷却さ
れる。その後、矢印Ａ６方向の空気の流れは外箱２の上面に設けられた排気口２ａから本
体１外に排出される。
【００５８】
このように冷却ファン２３が回転駆動された場合、この冷却ファン２３の回転により外
箱２底面および側面の吸気孔３１から吸気した空気を冷却ケーシング２４に導き、冷却ケ
ーシング２４では吸気された空気を３方向に分岐させ、それぞれ外箱２の上部の排気口２
ａから排出させることができる。
【００５９】
一方、上記構成において、「ヒータ加熱メニュー」の調理で熱風循環機構４０の熱風モ
ータ４５が回転駆動されると、シャフト４３が回転する。
【００６０】
そのシャフト４３の回転に伴い、連結する熱風羽根４２が回転することで加熱室５内に
ヒータの熱を対流させ、図５に示す矢印Ｃ方向の空気の流れを発生させる。そして、この
熱風羽根４２の回転と共に自冷ファン４６も回転する。
【００６１】
この自冷ファン４６の回転により、本体１の背面に設けられた熱風開口部４７から本体
１外部の空気が吸気され、熱風ダクト４８内を通り前方に向かう矢印Ｂ１方向の空気の流
れを発生させる。そして、矢印Ｂ１方向の空気の流れは自冷ファン４６に向かう途中で熱
風モータ４５を冷却する。
【００６２】
また、この矢印Ｂ１方向の空気の流れが自冷ファン４６の中心から周方向に送風される
ことにより、矢印Ｂ２方向の空気の流れとなって熱風ダクト４８の上方に設けられた分岐
ダクト４９内に導かれる。
【００６３】
そして、矢印Ｂ２方向の空気の流れは加熱室５の上方に設けられた温度センサ２６に吹
出され、温度センサ２６は冷却される。その後、矢印Ｂ２方向の空気の流れは外箱２の上
部の排気口２ａから排出される。
【００６４】
以上のような本発明の実施形態によれば、次のような効果を得ることができる。
【００６５】
すなわち、本実施形態の電子レンジは、機械室１９を仕切りケーシング５０により上下
に区画し、上部に位置する熱風モータ４５に自冷ファン４６を設ける。そして、下部の仕
切りケーシング５０内にマグネトロン駆動装置２２、及びマグネトロン２０を配置して、
その左側に冷却ファン２３を設ける。さらに、吸気ダクト３０を本体１の下側空間１８に
設置し、この吸気ダクト３０内に制御用配線基板３２を設ける構成としている。
【００６６】
従って、自冷ファン４６の回転により熱風モータ４５は冷却される。また、冷却ファン
２３の回転により外箱２外の空気が吸気されることにより本体１の底部（下側空間１８）
に設けられた制御用配線基板３２が冷却される。また、冷却ファン２３が吐出した冷却風
によってマグネトロン駆動装置２２、及びマグネトロン２０が冷却される。さらにまた、
冷却ファン２３が吐出した冷却風によってインターロックスイッチ２９が冷却される。
【００６７】
以って、１つの冷却ファン２３と自冷ファン４６を使用することで、冷却が必須な電気
部品（発熱体を含む）を冷却することができ、製造コストが安く済む。
【００６８】
また、冷却ファン２３が１個であるため機械室１９の構造は簡単となり、スペースも広
くすることができる。従って作業者にとって組立が容易となる。
【００６９】
また、仕切りケーシング５０によって機械室１９を上下に分離し、その下側に設けられ
る冷却ケーシング２４により確実に下側のマグネトロン２０とマグネトロン駆動装置２２
を冷却することができる。
【００７０】
また、薄い制御用配線基板３２を本体１の下側空間１８に設けているので、空間１８の
容積を小さくすることができ、外箱２の大きさに比して加熱室５の容積を広くすることが
できる。そのため、加熱室５の前面開口部６の面積を広くすることができ使用者にとって
調理物の出し入れがしやすくなる。
【００７１】
その他、本体１の背面に熱風循環機構４０の熱風開口部４７を形成し、熱風開口部４７
から熱風循環機構４０に向けて熱風ダクト４８を設けることにより、常に外箱２外の空気
を熱風ダクト４８内の熱風モータ４５に導くことができるため、熱風モータ４５を効率よ
く冷却することができる。このため、熱風ヒータ４１の近傍に熱風モータ４５があったと
しても、その熱の影響を受けなくすることができる。
【００７２】
また、加熱室５上面に設けられる温度センサ２６に冷却ファン２３の回転駆動によって
冷却ダクト２７に導かれた冷却風が送風されて冷却できるため、温度センサ２６は正常に
動作させることができる。
【００７３】
加えて、熱風ダクト４８の途中から温度センサ２６へ向かう分岐ダクト４９が設けられ
ているため、温度センサ２６は熱風モータ４５の回転駆動により熱風開口部４７からの冷
却風が送風されるため、熱の影響をさらに低減することができる。
【００７４】
なお、本実施例では冷却ファン２３としてシロッコファンを使用したが、プロペラファ
ンを使用しても良い。また、加熱室内の温度を検出する温度センサ２６に代えて、若しく
は共存して加熱室内の調理物の温度を検出する赤外線センサを設けてもよい。
【図面の簡単な説明】
【００７５】
【図１】本発明に係る電子レンジの扉開放時の外観を示す斜視図。
【図２】本発明に係る電子レンジの扉閉塞時の外観を示す前面図。
【図３】本発明に係る電子レンジ後部の機械室１９部分の破断背面図。
【図４】本発明に係る電子レンジの右側空間１６の破断右面図。
【図５】本発明に係る電子レンジの熱風循環機構４０の破断面図。
【図６】本発明に係る電子レンジの下側空間１８の部分破断面図。
【符号の説明】
【００７６】
１  本体、２  外箱、２ａ  排気口、３  脚部、４  内箱、５  加熱室、５ａ  後壁、６
前面開口部、１０  扉、１１  手掛け部、１２  操作パネル、１３  操作部、１４  表
示部、１５  上側空間、１６  右側空間、１７  左側空間、１８  下側空間、１９  機械
室、２０  マグネトロン、２１  導波管、２２  マグネトロン駆動装置、２３  冷却ファ
ン、２３ａ  冷却ファンモータ、２４  冷却ケーシング、２５  送風ガイド、２６  温度
センサ、２７  冷却ダクト、２８  送風ダクト、２９  インターロックスイッチ、３０  
吸気ダクト、３１  吸気孔、３２  制御用配線基板、４０  熱風循環機構、４０ａ  吸込
口、４０ｂ  吹出口、４１  熱風ヒータ、４２  熱風羽根、４３  シャフト、４４  熱風
カバー、４５  熱風モータ、４６  自冷ファン、４７  熱風開口部、４８  熱風ダクト、
４９  分岐ダクト、５０  仕切りケーシング、５１  開口、
【図１】
2006292181.tif 000003
【図２】
2006292181.tif 000004
【図３】
2006292181.tif 000005
【図４】
2006292181.tif 000006
【図５】
2006292181.tif 000007
【図６】
2006292181.tif 000008